【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
記録材への画像形成動作を制御する第一の制御手段を有する画像形成装置と、
前記画像形成動作によって画像が形成された記録材への後処理動作を制御する第二の制御手段を有する後処理装置と、
を備える画像形成システムであって、
前記第二の制御手段は、前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を予め前記第一の制御手段に通知し、
前記第一の制御手段は、前記第二の記録材に画像形成を行う際に、前記第二の制御手段から通知された前記複数の時間の中から、前記第二の記録材に画像形成を行う際の条件に対応する時間を選択し、選択した時間に基づいて前記画像形成動作を開始するタイミングを決定することを特徴とする画像形成システム。
【請求項２】
前記複数の条件と前記複数の時間とを対応付けた情報を保持する記憶部を有し、
前記第一の制御手段は、前記記憶部に保持された情報に基づいて、前記複数の時間の中から前記第二の記録材に画像形成を行う際の条件に対応する時間を選択することを特徴とする請求項１に記載の画像形成システム。
【請求項３】
前記第二の制御手段は、前記複数の条件と前記複数の時間とを対応付けた情報を前記第一の制御手段に通知し、
前記第一の制御手段は、前記第二の制御手段から通知された情報に基づいて、前記複数の時間の中から選択することを特徴とする請求項１に記載の画像形成システム。 
【請求項４】
前記条件は、記録材の搬送速度であり、
前記第一の制御手段は、記録材の搬送速度に応じて前記時間を選択することを特徴とする請求項２又は３に記載の画像形成システム。
【請求項５】
前記第一の制御手段は、前記画像形成装置が連続して画像を形成した記録材の枚数が所定の枚数以下の場合には記録材の搬送速度を第一の速度とし、前記画像形成装置が連続して画像を形成した記録材の枚数が前記所定の枚数を超えた場合には記録材の搬送速度を前記第一の速度より遅い第二の速度とし、
前記第一の速度に対応する第一の時間は、前記第二の速度に対応する第二の時間よりも短いことを特徴とする請求項４に記載の画像形成システム。
【請求項６】
前記画像形成装置は、記録材を搬送しつつ記録材に熱を加えることで記録材に形成された画像を定着する定着部を有し、
前記第一の制御手段は、記録材の搬送方向と直交する方向における前記定着部の端部の温度が所定の温度よりも低い場合には記録材の搬送速度を第一の速度とし、前記直交する方向における前記定着部の端部の温度が前記所定の温度よりも高い場合には記録材の搬送速度を前記第一の速度より遅い第二の速度とし、
前記第一の速度に対応する第一の時間は、前記第二の速度に対応する第二の時間よりも短いことを特徴とする請求項４に記載の画像形成システム。
【請求項７】
前記第一の制御手段は、記録材の種類が第一の種類である場合には記録材の搬送速度を第一の速度とし、前記記録材の種類が前記第一の種類よりも厚い第二の種類である場合には記録材の搬送速度を前記第一の速度より遅い第二の速度とし、
前記第一の速度に対応する第一の時間は、前記第二の速度に対応する第二の時間よりも短いことを特徴とする請求項４に記載の画像形成システム。
【請求項８】
前記画像形成装置は、記録材の種類を検出する検出手段を備え、
前記第一の制御手段は、前記検出手段による検出結果に基づいて記録材の種類を判別することを特徴とする請求項７に記載の画像形成システム。
【請求項９】
前記第一の制御手段は、前記第二の記録材の搬送速度を前記第二の制御手段に通知し、
前記第二の制御手段は、前記第一の制御手段から通知された前記第二の記録材の搬送速度に基づいて前記第二の記録材に対する前記後処理動作を制御することを特徴とする請求項４乃至８のいずれか１項に記載の画像形成システム。
【請求項１０】
前記条件は、記録材の種類であり、
前記第一の制御手段は、記録材の種類に応じて前記時間を選択することを特徴とする請求項２又は３に記載の画像形成システム。
【請求項１１】
前記第一の制御手段は、記録材の種類が第一の種類である場合には記録材の搬送速度を第一の速度とし、前記記録材の種類が前記第一の種類よりも厚い第二の種類である場合には記録材の搬送速度を前記第一の速度より遅い第二の速度とし、
前記第一の速度に対応する第一の時間は、前記第二の速度に対応する第二の時間よりも短いことを特徴とする請求項１０に記載の画像形成システム。
【請求項１２】
前記画像形成装置は、記録材の種類を検出する検出手段を備え、
前記第一の制御手段は、前記検出手段による検出結果に基づいて記録材の種類を判断することを特徴とする請求項１０又は１１に記載の画像形成システム。
【請求項１３】
前記第一の制御手段は、前記第二の記録材の種類を前記第二の制御手段に通知し、
前記第二の制御手段は、前記第一の制御手段から通知された前記第二の記録材の種類に基づいて前記第二の記録材に対する前記後処理動作を制御することを特徴とする請求項１０乃至１２のいずれか１項に記載の画像形成システム。
【請求項１４】
前記第二の制御手段は、前記第一の制御手段から前記第二の記録材に対して行う後処理動作に関する情報を受信したことに応じて前記複数の時間を前記第一の制御手段に通知することを特徴とする請求項１乃至１３のいずれか１項に記載の画像形成システム。
【請求項１５】
前記画像形成装置は、複数の像担持体と、前記複数の像担持体に形成された画像がそれぞれ転写される中間転写体と、を有し、
前記第一の制御手段は、前記選択された時間に基づいて、前記複数の像担持体に画像形成を開始するタイミングを決定することを特徴とする請求項１乃至１４のいずれか１項に記載の画像形成システム。
【請求項１６】
前記後処理装置は、画像が形成された記録材が載置されるトレイと、前記トレイに載置された複数の記録材を綴じる処理を行うステイプル手段と、を有し、
前記後処理動作は前記ステイプル手段によって前記複数の記録材を綴じる処理を含むことを特徴とする請求項１乃至１５のいずれか１項に記載の画像形成システム。
【請求項１７】
前記複数の時間は、記録材の搬送方向における前記第一の記録材の後端と前記第二の記録材の先端との間の距離に相当する時間であることを特徴とする請求項１乃至１６のいずれか１項に記載の画像形成システム。
【請求項１８】
記録材への画像形成動作を制御する第一の制御手段を備え、
前記画像形成動作によって画像が形成された記録材への後処理動作を制御する第二の制御手段を有する後処理装置に接続可能な画像形成装置であって、
前記後処理装置が接続された状態において、前記第一の制御手段は、
前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を予め前記第二の制御手段から通知され、
前記第二の制御手段から通知された前記複数の時間の中から、前記第二の記録材に画像形成を行う際の条件に対応する時間を選択し、選択した時間に基づいて前記画像形成動作を開始するタイミングを決定することを特徴とする画像形成装置。
【請求項１９】
前記複数の時間は、記録材の搬送方向における前記第一の記録材の後端と前記第二の記録材の先端との間の距離に相当する時間であることを特徴とする請求項１８に記載の画像形成装置。
【請求項２０】
記録材への画像形成動作を制御する第一の制御手段を有する画像形成装置に接続可能であり、前記画像形成動作によって画像が形成された記録材への後処理動作を制御する第二の制御手段を備える後処理装置であって、
前記画像形成装置が接続された状態において、前記第二の制御手段は、
前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を、予め前記第一の制御手段に通知することを特徴とする後処理装置。
【請求項２１】
前記複数の時間は、記録材の搬送方向における前記第一の記録材の後端と前記第二の記録材の先端との間の距離に相当する時間であることを特徴とする請求項２０に記載の後処理装置。
【手続補正２】
【補正対象書類名】明細書
【補正対象項目名】０００７
【補正方法】変更
【補正の内容】
【０００７】
（１）記録材への画像形成動作を制御する第一の制御手段を有する画像形成装置と、前記画像形成動作によって画像が形成された記録材への後処理動作を制御する第二の制御手段を有する後処理装置と、を備える画像形成システムであって、前記第二の制御手段は、前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を予め前記第一の制御手段に通知し、前記第一の制御手段は、前記第二の記録材に画像形成を行う際に、前記第二の制御手段から通知された前記複数の時間の中から、前記第二の記録材に画像形成を行う際の条件に対応する時間を選択し、選択した時間に基づいて前記画像形成動作を開始するタイミングを決定することを特徴とする画像形成システム。
（２）記録材への画像形成動作を制御する第一の制御手段を備え、前記画像形成動作によって画像が形成された記録材への後処理動作を制御する第二の制御手段を有する後処理装置に接続可能な画像形成装置であって、前記後処理装置が接続された状態において、前記第一の制御手段は、前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を予め前記第二の制御手段から通知され、前記第二の制御手段から通知された前記複数の時間の中から、前記第二の記録材に画像形成を行う際の条件に対応する時間を選択し、選択した時間に基づいて前記画像形成動作を開始するタイミングを決定することを特徴とする画像形成装置。
（３）記録材への画像形成動作を制御する第一の制御手段を有する画像形成装置に接続可能であり、前記画像形成動作によって画像が形成された記録材への後処理動作を制御する第二の制御手段を備える後処理装置であって、前記画像形成装置が接続された状態において、前記第二の制御手段は、前記後処理装置が先行して後処理が行われる第一の記録材を受け入れてから、前記第一の記録材の次に搬送される第二の記録材を受け入れるまでに必要な時間であって、複数の前記画像形成動作に関する条件に対応してそれぞれ設定された複数の前記時間を、予め前記第一の制御手段に通知することを特徴とする後処理装置。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】